(57)【要約】【課題】紙製容器の内側に樹脂層を形成した積層容器において、使用時に紙製容器と樹脂層との分離が不意に起こらないようにしながら、廃棄時には分別廃棄が容易に行えるようにする。【解決手段】予め樹脂コーティングされた紙製容器１０１の内側に、当該樹脂コーティングとは異なる樹脂からなる樹脂層が形成された積層容器の製造装置は、空気通過孔が形成された紙製容器を下に開放する姿勢で保持する上型４０と、上型４０の内面に真空を導入する真空引き装置４ｃと、上型４０及び下型４１を閉じたときに下型４１内に圧縮空気を導入する圧縮空気導入装置４ｄとを備えている。加熱されて軟化した樹脂製シートＳを真空及び圧空によって紙製容器１０１の内面に密着させて成形する。【選択図】図６
2022001418.tif 000002
【特許請求の範囲】
【請求項１】
樹脂コーティング層を有する紙製容器の内側に、当該樹脂コーティング層とは異なる樹脂からなる樹脂層が形成された積層容器の製造装置において、
前記樹脂層となる樹脂製シートを加熱して軟化させるシート加熱部と、
前記シート加熱部により加熱された前記樹脂製シートの上に配置され、空気通過孔が形成された前記紙製容器を下に開放する姿勢で保持する凹部を有する上型と、
前記上型の前記凹部の内面に形成された吸引孔に接続される真空引き装置と、
前記シート加熱部により加熱された前記樹脂製シートの下に配置される下型と、
前記上型及び前記下型の少なくとも一方を互いに接離する方向に駆動する型駆動装置と、
型が閉じた状態となったときに前記下型内に圧縮空気を導入する圧縮空気導入装置とを備えていることを特徴とする積層容器の製造装置。
【請求項２】
請求項１に記載の積層容器の製造装置において、
前記下型は、前記上型の前記凹部に挿入されるプラグを有していることを特徴とする積層容器の製造装置。
【請求項３】
請求項２に記載の積層容器の製造装置において、
前記プラグを前記下型の上面から突出した成形位置と、前記下型に収容された収容位置とに切り替えるプラグ駆動装置を備え、
前記プラグ駆動装置は、前記プラグを、前記樹脂製シートの成形時に成形位置とする一方、成形後には収容位置とするように構成されていることを特徴とする積層容器の製造装置。
【請求項４】
請求項１から３のいずれか１つに記載の積層容器の製造装置において、
前記樹脂製シートを送るシート送り部を備え、
前記シート加熱部は、前記上型から前記樹脂製シートの送り方向上流側に離れて配設されていることを特徴とする積層容器の製造装置。
【請求項５】
樹脂コーティング層を有する紙製容器の内側に、当該樹脂コーティング層とは異なる樹脂からなる樹脂層が形成された積層容器の製造方法において、
前記樹脂層となる樹脂製シートを加熱して軟化させるシート加熱工程と、
前記シート加熱工程で加熱された前記樹脂製シートの上に配置される上型の凹部に、空気通過孔が形成された前記紙製容器を下に開放する姿勢で保持する保持工程と、
前記シート加熱工程及び前記保持工程の後、前記上型と、当該上型の下方に配置される下型とを閉じ、前記上型の前記凹部の内面に負圧を作用させるとともに、前記下型内に圧縮空気を導入することにより、前記シート加熱工程で加熱された前記樹脂製シートを前記紙製容器の内面に密着させて成形する成形工程とを備えていることを特徴とする積層容器の製造方法。
【発明の詳細な説明】
【技術分野】
【０００１】
本発明は、紙製容器の内面に樹脂層が形成されて一体化された積層容器の製造装置及び製造方法に関する。
【背景技術】
【０００２】
従来より、コップ状容器として、紙製容器の内側に樹脂層を形成して耐水性を高めた積層容器が知られている（例えば、特許文献１参照）。特許文献１では、紙製容器の内側に、延伸ブロー成形によって樹脂層を形成している。すなわち、熱可塑性樹脂からなるプリフォームを加熱するとともに、延伸ブロー型に紙製容器をセットし、この紙製容器内に配置したプリフォームを紙製容器内で延伸ブロー成形して紙製容器の内面に密着させることにより、樹脂層を紙製容器と一体化することが可能になっている。
【先行技術文献】
【特許文献】
【０００３】
【特許文献１】特開２００９−２０８４０２号公報
【発明の概要】
【発明が解決しようとする課題】
【０００４】
ところで、紙製容器と樹脂層からなる積層容器の場合、外側が紙、内側が樹脂であり、互いに異なる材料で構成されているので、廃棄時に紙製容器から樹脂層を外して分別廃棄する必要がある。
【０００５】
しかしながら、特許文献１では紙製容器と樹脂層との密着強度を高めて強固に一体化することが目的となっているので、紙製容器と樹脂層との分別廃棄については考慮されていない。従って、ユーザ側で分別廃棄が容易に行えないことが考えられる。
【０００６】
本発明は、かかる点に鑑みてなされたものであり、その目的とするところは、紙製容器の内側に樹脂層を形成した積層容器において、使用時に紙製容器と樹脂層との分離が不意に起こらないようにしながら、廃棄時には分別廃棄が容易に行えるようにすることにある。
【課題を解決するための手段】
【０００７】
上記目的を達成するために、本発明では、加熱して十分に軟化した樹脂シートを真空及び圧空成形によって紙製容器の内面に密着させて成形するようにした。
【０００８】
第１の発明は、樹脂コーティング層を有する紙製容器の内側に、当該樹脂コーティング層とは異なる樹脂からなる樹脂層が形成された積層容器の製造装置において、前記樹脂層となる樹脂製シートを加熱して軟化させるシート加熱部と、前記シート加熱部により加熱された前記樹脂製シートの上に配置され、空気通過孔が形成された前記紙製容器を下に開放する姿勢で保持する凹部を有する上型と、前記上型の前記凹部の内面に形成された吸引孔に接続される真空引き装置と、前記シート加熱部により加熱された前記樹脂製シートの下に配置される下型と、前記上型及び前記下型の少なくとも一方を互いに接離する方向に駆動する型駆動装置と、型が閉じた状態となったときに前記下型内に圧縮空気を導入する圧縮空気導入装置とを備えていることを特徴とする。
【０００９】
この構成によれば、上型と下型とを開いた状態にすることで、上型の凹部に、樹脂コーティング層を有する紙製容器を保持させることが可能になる。一方、上記樹脂コーティング層とは異なる樹脂からなる樹脂製シートはシート加熱部によって加熱されて十分に軟化し、紙製容器の下、即ち紙製容器の開放部分と対向するように配置される。この状態で上型と下型とを閉じ、真空引き装置によって吸引孔に負圧を作用させると、紙製容器には空気通過孔が形成されているので、紙製容器内が負圧になり、軟化している樹脂製シートが紙製容器の内面に密着して成形される。このとき、圧縮空気導入装置によって下型内に圧縮空気が導入されるので、樹脂製シートが圧縮空気によって紙製容器の内面に押し付けられる。つまり、樹脂製シートを真空及び圧空成形することで、紙製容器の内面に強い力で密着させて紙製容器の内側に樹脂層が形成される。樹脂製シートの成形時における紙製容器への密着力が強い分、使用時に樹脂層が紙製容器から外れ難くなる。一方、樹脂層と紙製容器の樹脂コーティング層とは異なる樹脂であるため、接着強度はそれほど高くなく、廃棄時には容易に分別することが可能になる。
【００１０】
第２の発明は、前記下型は、前記上型の前記凹部に挿入されるプラグを有していることを特徴とする。
【００１１】
この構成によれば、上型と下型とを閉じた状態でプラグを上型の凹部に挿入することができる。これにより、樹脂製シートを紙製容器内へ向けて積極的に押し上げて当該紙製容器の内面に密着させやすくなる。
【００１２】
第３の発明は、前記プラグを前記下型の上面から突出した成形位置と、前記下型に収容された収容位置とに切り替えるプラグ駆動装置を備え、前記プラグ駆動装置は、前記プラグを、前記樹脂製シートの成形時に成形位置とする一方、成形後には収容位置とするように構成されていることを特徴とする。
【００１３】
この構成によれば、樹脂製シートの成形時にのみプラグを突出させ、成形後には下型に収容できるので、成形後にプラグが邪魔にならないようにすることができる。
【００１４】
第４の発明は、前記樹脂製シートを送るシート送り部を備え、前記シート加熱部は、前記上型から前記樹脂製シートの送り方向上流側に離れて配設されていることを特徴とする。
【００１５】
この構成によれば、シート加熱部が上型から離れることになるので、上型の凹部に保持されている紙製容器の樹脂コーティング層がシート加熱部の熱によって溶融しないようにすることができる。これにより、紙製容器の樹脂コーティング層を構成している樹脂と、樹脂層を構成している樹脂とが混ざり合わなくなるので、紙製容器と樹脂層との接着強度が必要以上に高まることはなく、廃棄時の分別作業性を良好にすることができる。
【００１６】
第５の発明は、樹脂コーティング層を有する紙製容器の内側に、当該樹脂コーティング層とは異なる樹脂からなる樹脂層が形成された積層容器の製造方法において、前記樹脂層となる樹脂製シートを加熱して軟化させるシート加熱工程と、前記樹脂製シートの上に配置された上型の凹部に、空気通過孔が形成された前記紙製容器を下に開放する姿勢で保持する保持工程と、前記シート加熱工程及び前記保持工程の後、前記上型と、当該上型の下方に配置される下型とを閉じ、前記上型の前記凹部の内面に負圧を作用させるとともに、前記下型内に圧縮空気を導入して前記樹脂製シートを前記紙製容器の内面に密着させて成形する成形工程とを備えていることを特徴とする。
【発明の効果】
【００１７】
本発明によれば、樹脂コーティング層を有する紙製容器の内側に、当該樹脂コーティング層とは異なる樹脂からなる樹脂製シートによって樹脂層を形成する場合に、加熱によって軟化した樹脂製シートを真空及び圧空成形によって紙製容器に一体化することができる。これにより、使用時に紙製容器と樹脂層との分離が不意に起こらないようにしながら、廃棄時には分別廃棄を容易に行うことができる。
【図面の簡単な説明】
【００１８】
【図１】本発明の実施形態に係る積層容器の製造装置の側面図である。
【図２Ａ】積層容器の縦断面図である。
【図２Ｂ】紙製容器の縦断面図である。
【図３】複数の積層容器が連結された状態を示す斜視図である。
【図４】型駆動装置、上金型及び下金型の側面図であり、型が閉じた状態を示す。
【図５】型が開いた状態を示す図４相当図である。
【図６】上金型及び下金型の断面図であり、型が開いた状態を示す。
【図７】実施形態の変形例に係る図６相当図である。
【図８】供給装置の部分断面図である。
【図９】型が閉じた状態を示す図６相当図である。
【図１０】プラグが成形位置にある状態を示す図６相当図である。
【図１１】樹脂製シートを空気圧で紙製容器の内面に密着させた状態を示す図６相当図である。
【図１２】積層容器の成形後、型が開いた状態を示す図６相当図である。
【図１３】積層容器を容器載置部材に載置した状態を示す図６相当図である。
【図１４】積層容器が載置された容器載置部材を上位置に切り替えた状態を示す図６相当図である。
【図１５】容器載置部材に載置されている積層容器を吸着部により吸着して搬送する状態を示す図６相当図である。
【発明を実施するための形態】
【００１９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２０】
図１は、本発明の実施形態に係る積層容器の製造装置１の側面図である。製造装置１は、図２Ａ、図２Ｂに示すような積層容器１００を製造する装置である。この実施形態の説明では、製造装置１を説明する前に、積層容器１００の構造について図２Ａ及び図２Ｂに基づいて説明する。積層容器１００は、紙製容器１０１と、樹脂層１０２とで構成されている。積層容器１００は、例えばコップ等の液体が収容される容器であってもよいし、各種食品等が収容される容器であってもよく、その形状は特に限定されるものではない。積層容器１００は、コップ以外にも椀、箱等であってもよい。
【００２１】
積層容器１００の大きさは特に限定されないが、例えば深さが５ｃｍ〜１５ｃｍ程度、径が５ｃｍ〜１０ｃｍ程度であってもよく、このような深さを有する積層容器１００の樹脂層１０２は、樹脂層１０２の材料となる樹脂製シートＳ（図１に仮想線で示す）を絞り成形、深絞り成形することで得ることができる。樹脂製シートＳは、従来から絞り成形に使用されているシートであればよく、例えばポリプロピレン等からなるシートや、複数種の樹脂が積層されたシート等を使用することができる。このような樹脂製シートＳは、数十ｍ以上の長さを有しており、コイル状に巻かれた状態で製造装置１に供給することができる。
【００２２】
図２Ｂに示すように、紙製容器１０１は、上方に開放されたコップ状の容器であり、底壁部１０１ａと、周壁部１０１ｂとを有している。底壁部１０１ａには、空気通過孔１０１ｃが形成されている。空気通過孔１０１ｃは、１つであってもよいし、複数であってもよく、底壁部１０１ａを上下方向に貫通している。空気通過項１０１ｃを介して紙製容器１０１の内部が外部と連通する。空気通過孔１０１ｃは、例えば細い針を底壁部１０１ａに貫通させることによって形成された、いわゆるピンホールのような孔であってもよいし、底壁部１０１ａの一部をパンチ等で打ち抜いて形成された孔であってもよい。針によって形成することで、空気通過孔１０１ｃが目立ち難くなるので好ましい。また、空気通過孔１０１ｃは、底壁部１０１ａの周縁部のみに設けてもよいし、底壁部１０１ａの中央部にのみ設けてもよいし、底壁部１０１ａの全体に設けてもよい。底壁部１０１ａの周縁部は、周壁部１０１ｂと結合する部分であり、下方へ折り曲げられている。
【００２３】
周壁部１０１ｂは、上端に近づくほど拡径するように形成されている。周壁部１０１ｂの下端部は、底壁部１０１ａと結合する部分であり、底壁部１０１ａの周縁部を挟持するように上方へ折り曲げられている。底壁部１０１ａの周縁部と周壁部１０１ｂの下端部とは接着してもよいし、圧着してもよい。尚、図示しないが、周壁部１０１ｂに空気通過孔を設けてもよい。
【００２４】
図２Ｂに示すように、紙製容器１０１の内面には、樹脂コーティング層１０１ｄが設けられている。樹脂コーティング層１０１ｄは、底壁部１０１ａの内面及び周壁部１０１ｂの内面の両方に設けることができるが、一方の内面にのみ設けられていてもよい。樹脂コーティング層１０１ｄを構成する樹脂は、例えばポリエチレン（ＰＥ）やポリ酢酸ビニル（ＰＶＣＡ）等を挙げることができる。樹脂コーティング層１０１ｄは、紙製容器１０１の内面に強固に固着されている。樹脂コーティング層１０１ｄの代わりに、接着性を有する成分を塗布してもよい。
【００２５】
紙製容器１０１を構成している底壁部１０１ａ及び周壁部１０１ｂは別部材で構成されているので、これらの繋ぎ目から液体が漏れるおそれがある。このことを防止するために、図２Ａに示すように樹脂層１０２が設けられている。樹脂層１０２は、樹脂コーティング層１０１ｄを有する紙製容器１０１の内側に形成された水不透過性の層であり、底壁部１０１ａ及び周壁部１０１ｂを覆うように一体に形成され、紙製容器１０１の底壁部１０１ａ側から上端部まで連続している。樹脂層１０２の厚みは、樹脂コーティング層１０１ｄの厚みよりも厚く設定されている。
【００２６】
樹脂層１０２を設けることで、積層容器１に耐水性を持たせることができ、各種液体が外部に漏れなくなる。樹脂層１０２は、樹脂コーティング層１０１ｄを構成している樹脂とは異なる樹脂からなるものであり、例えばポリプロピレン（ＰＰ）を挙げることができる。樹脂コーティング層１０１ｄは、紙製容器１０１の内面に強固に固着されている反面、樹脂層１０２は、樹脂コーティング層１０１ｄに対して強固に固着されておらず、例えば、積層容器１００の廃棄時に、樹脂層１０２を樹脂コーティング層１０１ｄから指で簡単に剥離させることができるようになっている。つまり、樹脂層１０２と樹脂コーティング層１０１ｄとの固着強度は、樹脂コーティング層１０１ｄと紙製容器１０１との固着強度よりも低く設定されている。これは、樹脂層１０２が樹脂コーティング層１０１ｄとは異なる樹脂からなるものであり、一方の他方に対する接着力が低く、かつ、後述するように樹脂層１０２の成形時に樹脂コーティング層１０１ｄを溶融させていないことによる。
【００２７】
一方、樹脂層１０２と樹脂コーティング層１０１ｄとの固着強度は、積層容器１００の通常の使用時においては剥離しないように設定されている。このような固着強度は、後述するように樹脂層１０２を真空及び圧空成形することによって得ることができる。
【００２８】
樹脂層１０２と樹脂コーティング層１０１ｄとは互いに異なる樹脂で構成されていればよく、ポリエチレン、ポリプロピレン以外の樹脂で構成されていてもよい。樹脂層１０２の樹脂コーティング層１０１ｄに対する固着強度が、上述したように廃棄時には樹脂層１０２を簡単に剥離可能にしながら、通常の使用時には容易に剥離しないような強度となる樹脂の組み合わせであればよい。
【００２９】
図３は、製造装置１で製造可能な積層容器２００を示している。この図３に示す積層容器２００は、４つの容器２０１が連結されて一体化されている。各容器２０１は、凹部２０１ａとフランジ２０１ｂとを備えており、図２Ａに示す積層容器１００と同様に、紙製容器と、樹脂層とで構成されている。符号２０２は、容器２０１を分割するための線状弱化部を示している。線状弱化部２０２に曲げ力等を作用させると割れるようになっており、これにより、容器２０１を４つに分割できる。
【００３０】
上記樹脂製シートＳは、図１の左側から右側へ向かって送られるようになっている。図１の左側に、コイル状に巻かれた樹脂製シートＳを仮想線で示している。図１の右側には、容器１００の成形が終わった樹脂製シートＳが巻き取られた状態（回収された状態）を仮想線で示している。この実施形態の説明では、製造装置１の方向を定義する際に、樹脂製シートＳの送り方向を基準として上流側及び下流側と定義する。上流側は図１の左側になり、下流側が図１の右側になる。また、製造装置１を樹脂製シートＳの送り方向上流側から見たとき、左側となる側を製造装置１の左といい、右側となる側を製造装置１の右というものとする。製造装置１の左右方向は製造装置１の幅方向である。
【００３１】
（製造装置１の全体構成）
製造装置１は、シート送り部２と、シート加熱部３と、成形部４と、搬出部５と、吸着部６と、制御盤７とを備えている。シート送り部２により送られた樹脂製シートＳがシート加熱部３により加熱される。加熱されて軟化した樹脂製シートＳが成形部４に送られると、成形部４によって紙製容器１０１の内面に密着するように成形される。これにより得られた積層容器１００は、後述するように、樹脂製シートＳの送り動作によって搬出部５へ自動的に搬出される。搬出部５へ搬出された積層容器１００は、吸着部６により吸着されて別の場所に搬送される。吸着部６により搬送された積層容器１００は、所定場所に積み重ねられて集積される。
【００３２】
製造装置１のシート送り部２よりも上流側には、コイル状に巻かれた樹脂製シートＳを繰り出し可能に支持する上流側支持台８が設けられている。製造装置１の搬出部５よりも下流側には、積層容器１００の成形が終わった樹脂製シートＳを巻き取った状態で支持する下流側支持台９が設けられている。上流側支持台８及び下流側支持台９も製造装置１を構成する部材であるが、これらは省略してもよい。
【００３３】
（シート送り部２の構成）
製造装置１は、例えば工場の床面２００等に固定された基台１０を備えている。シート送り部２は、製造装置１の上流側に配設されており、この実施形態では、上流側支持台８とシート加熱部３との間に位置している。基台１０の上部にシート送り部２が固定されており、シート送り部２は上流側支持台８よりも高い所に配置される。従って、樹脂製シートＳは、上流側支持台８から下流側へ向かってシート送り部２まで上へ延びるように該シート送り部２にセットされることになる。
【００３４】
シート送り部２は、樹脂製シートＳを下流側へ向けて送るための送り装置によって構成されている。例えば、水平軸回りに回転駆動されるローラ等を樹脂製シートＳに押し付け、ローラの外周面と樹脂製シートＳの表面との摩擦力を利用して送る送り装置等があるが、これに限られるものではなく、各種送り装置を使用することができる。シート送り部２は制御盤７に接続されており、この制御盤７によって制御され、樹脂製シートＳの送り開始及び停止のタイミング制御や樹脂製シートＳの送り速度の調整が行われる。図示しないが、樹脂製シートＳの幅方向（製造装置１の左右方向）両端部を水平方向に案内する案内部材が製造装置１には設けられており、樹脂製シートＳは、図４に仮想線で示すように、略水平方向に延びる姿勢で上流側から下流側へ送られるようになっている。
【００３５】
尚、シート送り部２は、製造装置１の上流側に配設されていなくてもよく、例えば製造装置１のシートＳの送り方向中間部や下流側に配設されていてもよい。
【００３６】
（シート加熱部３の構成）
シート加熱部３は、シート送り部２の下流側に配設されている。具体的には、シート加熱部３は、シート送り部２と成形部４との間に位置しており、上金型４０から樹脂製シートＳの送り方向上流側に離れて配設されている。また、基台１０の上部においてシート送り部２の下流側にシート加熱部３が固定されており、シート加熱部３は上流側支持台８よりも高い所に配置される。
【００３７】
シート加熱部３は、ヒータ支持部材３ａと、下側ヒータ３ｃと、ヒータ昇降装置３ｄとを備えている。ヒータ支持部材３ａは、基台１０の上部から上方へ突出するように構成されている。ヒータ支持部材３ａの上部にヒータ昇降装置３ｄが設けられている。ヒータ昇降装置３ｄは、ワイヤ３ｅと、ワイヤ３ｅが巻き掛けられるプーリ３ｆと、プーリ３ｆを正逆回転させるモータ（図示せず）とを備えている。
【００３８】
ワイヤ３ｅの一端部には、下側ヒータ３ｃが固定されている。下側ヒータ３ｃは、樹脂製シートＳの下面に対向するように配置され、該樹脂製シートＳを下方から加熱する電気式ヒータである。一方、ワイヤ３ｅの他端部はプーリ３ｆに巻き掛けられており、プーリ３ｆを回転させると、ワイヤ３ｅが送られ、ワイヤ３ｅが送られることで下側ヒータ３ｃを昇降させることができるようになっている。
【００３９】
図１に実線で示すように、下側ヒータ３ｃを下降端位置にすることで、下側ヒータ３ｃが樹脂製シートＳから離れて退避状態になる。プーリ３ｆを回転させ、図１に仮想線で示すように、下側ヒータ３ｃを上昇端位置にすることで、下側ヒータ３ｃが樹脂製シートＳに接近した状態になる。この実施形態では、下側ヒータ３ｃを昇降させることによって樹脂製シートＳに接近した状態と樹脂製シートＳから退避した状態とに切り替えることができるので、製造装置１の幅方向にヒータを移動させる場合に比べて製造装置１の幅が広くなってしまうのを抑制することができる。
【００４０】
シート加熱部３の下側ヒータ３ｃと、プーリ３ｆを回転させるためのモータとは、制御盤７に接続されており、この制御盤７によって制御される。例えば、樹脂製シートＳが成形に適した温度となるように、下側ヒータ３ｃの出力を調整することや、加熱が不要な時に下側ヒータ３ｃを樹脂製シートＳから退避した状態にし、加熱が必要な時に下側ヒータ３ｃを樹脂製シートＳに接近した状態にすることができる。
【００４１】
シート加熱部３による樹脂製シートＳの加熱温度は、樹脂に応じて任意に設定することができる。この実施形態では、樹脂製シートＳが十分に軟化するように加熱温度を設定しており、これにより、樹脂製シートＳが加熱前に比べて下に大きく弛むように変形する。言い換えると、樹脂製シートＳが大きく弛むように加熱温度を調整しておくのが好ましい。
【００４２】
尚、シート加熱部３は、加熱効率を高めるために、遮蔽部材によって覆い、閉空間に配設することができる。
【００４３】
（成形部４の構成）
成形部４は、シート加熱部３の下流側に設けられており、上金型（上型）４０と、下金型（下型）４１と、型駆動装置４２とを備えている。上金型４０は、樹脂製シートＳの上に配置されている。図６に示すように、上金型４０には、積層容器１００の外側を構成している紙製容器１０１（図２Ｂに示す）を保持するための保持用凹部４０ａが下方に開放するように形成されている。この保持用凹部４０ａには、空気通過孔１０１ｃが形成された紙製容器１０１が下に開放する姿勢で保持される。尚、図６では、成形部４の一部のみ示している。
【００４４】
保持用凹部４０ａの内面には、複数の吸引孔４０ｃが形成されている。これら吸引孔４０ｃには真空引き配管４ａが接続されている。吸引孔４０ｃは１つであってもよい。真空引き配管４ａには、真空引き装置４ｃ（図６にのみ示す）が接続されている。真空引き装置４ｃは、従来から周知の真空ポンプ等を備えた装置であり、制御盤７に接続され、この制御盤７によって制御される。真空引き装置４ｃを作動させることによって真空引き配管４ａを介して吸引孔４ｃに負圧が作用するようになっている。吸引孔４０ｃには、例えば積層容器１００の成形中にのみ、または紙製容器１０１を保持してから脱型する前まで真空圧が作用し、積層容器１００の脱型時には作用しないようにすることができ、これは制御盤７によって制御可能である。また、上金型４０の下面には、上側カット刃４０ｂが保持用凹部４０ａの下端開口を囲むように連続して形成されている。
【００４５】
下金型４１は、プラグ４１ｂを有するとともに、上金型４０の真下、即ち、樹脂製シートＳの下に配置されている。下金型４１には、プラグ４１ｂを収容するプラグ収容凹部４１ａが下方に窪むように形成されている。プラグ収容凹部４１ａは上方に開放しており、このプラグ収容凹部４１ａの上端開口と、上金型４０の保持用凹部４０ａの下端開口とは略一致するようになっている。
【００４６】
プラグ収容凹部４１ａの内面には、複数の空気吐出孔４１ｄが形成されている。空気吐出孔４１ｄには、圧縮空気を導入するための導入配管４ｂが接続されている。空気吐出孔４１ｄは１つであってもよい。導入配管４ｂには、圧縮空気導入装置４ｄ（図６にのみ示す）が接続されている。圧縮空気導入装置４ｄは、従来から周知の空気圧縮ポンプ等を備えた装置であり、制御盤７に接続され、この制御盤７によって制御される。圧縮空気導入装置４ｄを作動させることによって導入配管４ｂを介して空気吐出孔４１ｄに空気圧が作用するようになっている。空気吐出孔４１ｄには、例えば樹脂層１０２の成形中にのみ空気圧が作用し、成形後、積層容器１００の脱型時には作用しないようにすることができ、これは制御盤７によって制御可能である。
【００４７】
尚、圧縮空気導入装置４ｄは、工場エア配管に接続された切替弁装置で構成されていてもよく、切替弁装置を制御盤７によって制御することにより、空気吐出孔４１ｄに空気圧が作用した状態と作用しない状態とに切り替えることができる。
【００４８】
この実施形態に係る製造装置１は、上金型４０の真空圧と、下金型の圧縮空気とを利用して樹脂層１０２を成形することが可能な真空圧空成形機である。尚、成形品の条件によっては、上金型４０の真空圧と、下金型の圧縮空気との一方のみを利用して成形するようにしてもよい。
【００４９】
下金型４１の上面には、下側カット刃４１ｃがプラグ収容凹部４１ａの上端開口を囲むように連続して形成されている。例えば、図９に示すように上金型４０と下金型４１とが閉じた状態では、下側カット刃４１ｃと上側カット刃４０ｂとによって樹脂製シートＳに対してせん断力を作用させ、このせん断力によって樹脂製シートＳにおける積層容器１００の周縁部となる部分を切断することができるようになっている。つまり、上金型４０及び下金型４１が互いに接近する方向に駆動されて型が閉じた状態となったときに、一方の金型のカット刃が他方の金型のカット刃と共に樹脂製シートＳにおける容器１００の周縁部となる部分を切断するように構成されている。
【００５０】
尚、樹脂製シートＳに対して切断可能なせん断力を作用させることができればよいので、下側カット刃４１ｃと上側カット刃４０ｂの一方のみを設けて、そのカット刃と、金型のエッジ部分とで容器１００の周縁部を切断するようにしてもよい。カット刃の構造及び形状は特に限定されるものではない。
【００５１】
下金型４１の下方には、プラグ４１ｂを上下方向に駆動するプラグ駆動装置４３が設けられている。プラグ駆動装置４３は、例えば流体圧シリンダや送りネジ装置等で構成することができ、制御盤７に接続され、この制御盤７によって制御される。プラグ駆動装置４３の上部にプラグ４１ｂの下部が固定されている。プラグ４１ｂは円柱に近い形状とされている。プラグ４１ｂの上面は、上方へ突出するように湾曲形成されている。プラグ４１ｂの形状は図示した形状に限られるものではなく、積層容器１００の形状等に応じて適宜変更することができる。
【００５２】
プラグ駆動装置４３は、プラグ４１ｂを、下金型４１の上面から突出して上金型４０の保持用凹部４０ａに挿入される成形位置（図１０に示す）と、下金型４１のプラグ収容凹部４１ａに収容した収容位置（図６や図７等に示す）とに切り替えるためのものである。プラグ駆動装置４３は、プラグ４１ｂを、樹脂製シートＳの成形時（樹脂層１０２の成形時）には成形位置とする一方、例えば成形後のように樹脂製シートＳを送るときには収容位置とするように構成されている。成形位置にあるプラグ４１ｂの上面が樹脂製シートＳに対して下方から押し当てられることにより、樹脂製シートＳが上方へ伸ばされて上金型４０の保持用凹部４０ａの内面、即ち紙製容器１０１の内面に接近するようになっている。樹脂製シートＳを送るときにはプラグ４１ｂが収容されるように、プラグ４１ｂの動きを制御することができる。この実施形態の製造装置１は、樹脂製シートＳに押し付けられるプラグ４１ｂを備えているのでプラグアシスト型の製造装置である。
【００５３】
型駆動装置４２は、上金型４０及び下金型４１を互いに接離する方向に駆動するための装置であり、制御盤７に接続され、この制御盤７によって制御される。型駆動装置４２は、上金型４０を上下方向に駆動する上金型駆動装置４４と、下金型４１を上下方向に駆動する下金型駆動装置４５とを含んでいる。そして、上金型駆動装置４４により上金型４０を上方へ移動させ、下金型駆動装置４５により下金型４１を下方へ移動させて型を開いた状態と、上金型駆動装置４４により上金型４０を下方へ移動させ、下金型駆動装置４５により下金型４１を上方へ移動させて型を閉じた状態とに切り替えるように構成されている。上金型駆動装置４４と下金型駆動装置４５とは、制御盤７によって制御され、同期するようになっている。
【００５４】
すなわち、上金型駆動装置４４は、例えば流体圧シリンダや送りネジ装置等、またはこれらの組み合わせで構成されており、基台１０に対して支持部材等（図示せず）を介して動かないように固定されている。上金型駆動装置４４の下部に、上金型４０が連結されており、上金型駆動装置４４が伸長動作を行うことによって上金型４０が下降し（図９に示す）、一方、上金型駆動装置４４が縮む動作を行うことによって上金型４０が上昇する（図６に示す）。制御盤７からの信号によって上金型駆動装置４４の動作開始タイミング及び動作量が決定される。
【００５５】
図４及び図５に示すように、下金型駆動装置４５は、電動モータ４５ａと、減速機４５ｂと、駆動レバー４５ｃと、駆動リンク４５ｄと、第１従動レバー４５ｅと、第２従動レバー４５ｆと、コンロッド４５ｈとを備えている。電動モータ４５ａは、制御盤７に接続され、この制御盤７によって制御される。電動モータ４５ａの出力は減速機４５ｂに入力される。駆動レバー４５ｃは減速機４５ｂの出力軸（製造装置１の幅方向且つ水平方向に延びる軸）に固定されており、該出力軸の回転力によって水平軸回りに回動するようになっている。駆動レバー４５ｃの先端部には、駆動リンク４５ｄの一端部が水平軸回りに回転可能に連結されている。
【００５６】
一方、第１従動レバー４５ｅと、第２従動レバー４５ｆとは相対的に回転しないように、軸４５ｇを介して一体化されている。軸４５ｇは、水平方向に延びるとともに、基台１０に対して回転可能に支持されている。よって、第１従動レバー４５ｅと第２従動レバー４５ｆは、水平軸回りに一緒に回転することになる。第１従動レバー４５ｅの先端部に、駆動リンク４５ｄの他端部が水平軸回りに回転可能に連結されている。
【００５７】
第２従動レバー４５ｆの先端部には、コンロッド４５ｈの一端部が水平軸回りに回転可能に連結されている。コンロッド４５ｈの他端部は、下金型４１とコンロッド４５ｈとを連結するための連結部材４１ｅに対して水平軸回りに回転可能に連結されている。下金型４１と、プラグ４１ｂと、プラグ駆動装置４３とは、一体化されて一緒に昇降するようになっている。
【００５８】
電動モータ４５ａが回転すると、駆動レバー４５ｃが回動し、駆動リンク４５ｄが図１の左右方向に移動する。駆動リンク４５ｄの移動力は第１従動レバー４５ｅに伝達されて第１従動レバー４５ｅ及び第２従動レバー４５ｆが水平軸回りに回動する。第２従動レバー４５ｆが回動すると、コンロッド４５ｈが上下方向に移動することになり、これにより、コンロッド４５ｈが連結部材４１ｅを介して連結された下金型４１が昇降動作する。電動モータ４５ａの回転方向によって下金型４１を上昇させたり、下降させることができる。制御盤７からの信号によって電動モータ４５ａの回転方向、回転速度、回転開始及び停止を制御することができるようになっており、これにより、下金型４１の動作開始タイミング及び動作量が決定される。図４に示す状態は、下金型４１が上昇端に位置した状態であり、図５に示す状態は、下金型４１が下降端に位置した状態である。
【００５９】
上述した下金型駆動装置４５の構成は一例であり、上述した構成に限られるものではない。例えば流体圧シリンダ等で下金型駆動装置４５を構成することもできる。
【００６０】
圧縮空気導入装置４ｄは、上金型４０及び下金型４１が閉じた状態になったときに、下金型４１内に圧縮空気を導入し、上金型４０及び下金型４１が開いているときには圧縮空気を導入しないように制御盤７によって制御される。また、同様に、真空引き装置４ｃは、上金型４０及び下金型４１が閉じた状態になったときに、真空引きし、上金型４０及び下金型４１が開いているときには真空引きしないように制御盤７によって制御される。
【００６１】
また、型駆動装置４２は、シート送り部２が樹脂製シートＳを送るときに、下金型４１を、樹脂製シートＳの成形時に比べて下げるように構成されている。すなわち、図６に示すように、シート送り部２が樹脂製シートＳを送るときには、下金型４１の上面が樹脂製シートＳの軌跡（仮想線で示す）よりも下に位置するように、下金型駆動装置４５を作動させる。これにより、下金型４１の上面と樹脂製シートＳの下面との間に所定の隙間が形成される。尚、下金型４１の上面と樹脂製シートＳの下面との間には所定の隙間が形成されなくてもよく、この場合も下金型４１の上面が下がっている分、樹脂製シートＳの下面との干渉の程度を低くすることができる。その後、樹脂製シートＳの送り動作が停止すると、図９〜図１１に示すように樹脂製シートＳの成形時には、下金型４１の上面が樹脂製シートＳの下面に接触するように、下金型駆動装置４５を作動させる。
【００６２】
シート送り部２による樹脂製シートＳの送り動作が停止すると、型駆動装置４２の下金型駆動装置４５は、下金型４１を、樹脂製シートＳの送り時に比べて上昇させる（図９に示す）。このときの下金型４１の上面は、樹脂製シートＳの軌跡上、即ち樹脂製シートＳの下面に接触する位置になるので、加熱されて弛んでいる樹脂製シートＳを下方から支えることができる。
【００６３】
尚、上金型４０及び下金型４１は、樹脂製シートＳの送り方向に複数並べて設けてもよいし、製造装置１の左右方向に複数並べて設けてもよい。また、１つの上金型４０に保持用凹部４０ａを複数形成してもよいし、１つの下金型４１にプラグ収容凹部４１ａを複数形成してもよい。
【００６４】
図６に示すように、成形部４は、型内吸着部４９を有している。型内吸着部４９は、紙製容器１０１を吸着する部分する部分である。型内吸着部４９には、真空引き配管（図示せず）が接続されており、型内吸着部４９の下端部には負圧が作用するようになっている。
【００６５】
型内吸着部４９は、図示しない駆動装置によって上下動し、図６に実線で示す位置が上昇位置であり、仮想線で示す位置が下降位置である。型内吸着部４９を駆動装置によって下降位置にすることで、紙製容器１０１を吸着して型内吸着部４９に保持できる。紙製容器１０１を保持した型内吸着部４９を駆動装置によって上昇位置にすることで、図６に実線で示すように紙製容器１０１を上金型４０内に収容し、保持できる。
【００６６】
図７は、成形部４の変形例を示している。この変形例では、２つの上金型４０及び下金型４１が樹脂製シートＳの送り方向に並んで設けられている。これにより、複数の積層容器１００を同時に成形することが可能になる。上金型４０及び下金型４１は、３つ以上が樹脂製シートＳの送り方向に並んで設けられていてもよい。
【００６７】
（供給装置６０の構成）
図１に示すように、製造装置１は、成形部４の上流側に紙製容器１０１を供給する供給装置６０を備えている。上流側とは、樹脂製シートＳの送り方向の上流側である。図８に拡大して示すように、製造装置１は、紙製容器１０１が収容された筒状の収容部６１と、水平方向にスライドするスライダ６２と、スライド部材６２を駆動するスライダ駆動装置６３とを備えている。
【００６８】
図７に示す変形例の場合、収容部６１には、紙製容器１０１を樹脂製シートＳの送り方向に２列並べて収容することができる。紙製容器１０１は開放部分が下に位置する姿勢とされて上下に多数重ねて収容されている。収容部６１には、紙製容器１０１を１列だけ収容してもよい。
【００６９】
収容部６１の下部には、最も下の紙製容器１０１のみ下方へ落下させる落下装置（図示せず）が設けられており、この落下装置によって落下した紙製容器１０１を仮想線で示す。スライダ６２は、スライダ駆動装置６３によって樹脂製シートＳの送り方向に駆動される。スライダ６２によって供給装置６０の本体部分が紙製容器１０１と共に成形部４まで搬送され、その後、紙製容器１０１を樹脂製シートＳの上に落下させて図８に実線で示すように配置できる。上述した供給装置６０の構造は一例であり、他の構造の供給装置を用いてもよい。
【００７０】
（搬出部５の構成）
図１に示すように、搬出部５は、成形部４の下流側に設けられており、支持台５０と、容器載置部材５１と、載置部材駆動装置５２とを備えている。支持台５０は、床面２００に固定されている。支持台５０の上面には、載置部材駆動装置５２が固定されている。この載置部材駆動装置５２には、容器載置部材５１が固定されている。容器載置部材５１は、上金型４０及び下金型４１よりも樹脂製シートＳの送り方向下流側に設けられ、樹脂製シートＳの下に配置される。容器載置部材５１と、上金型４０及び下金型４１とは接近しており、容器載置部材５１と、上金型４０及び下金型４１との間に積層容器１００が落下しないようになっている。
【００７１】
容器載置部材５１には、製造された直後の積層容器１００が、上金型４０及び下金型４１の間から樹脂製シートＳとともに下流側へ送られた際に載置されるようになっている。容器載置部材５１は、例えば水平方向に延びる板材等で構成することができる。容器載置部材５１の下流側の端部は、下方へ屈曲ないし傾斜させることができる。これにより、容器載置部材５１の上面に載置されている積層容器１００が容器載置部材５１の上面から下流側へ移動しやすくなる。
【００７２】
載置部材駆動装置５２は、容器載置部材５１を上下方向に移動させて下位置と上位置とに切り替えるための装置であり、例えば流体圧シリンダや送りネジ装置等で構成することができる。載置部材駆動装置５２は、制御盤７に接続され、この制御盤７によって制御される。載置部材駆動装置５２は、容器載置部材５１を、積層容器１００が載置される前に下位置（図１２、図１３及び図１５に示す）にしておき、積層容器１００が載置された後に上位置（図１４に示す）に切り替えるように構成されている。
【００７３】
容器載置部材５１が下位置にあるときには、容器載置部材５１の上面が樹脂製シートＳの軌跡よりも下に位置することになる。これにより、積層容器１００が上金型４０及び下金型４１の間から樹脂製シートＳとともに下流側へ送られた際に容器載置部材５１に引っ掛かるようになることはなく、容器載置部材５１に確実に載置される。
【００７４】
容器載置部材５１が上位置にあるときには、容器載置部材５１の上面が樹脂製シートＳの軌跡と略同じか、樹脂製シートＳの軌跡よりも上に位置することになる。これにより、積層容器１００の上端部が吸着部６に接近することになり、容器１００が吸着部６によって吸着されやすくなる。
【００７５】
（吸着部６の構成）
吸着部６は、容器載置部材５１に載置されている積層容器１００の上端部から上方に離れて配置され、積層容器１００を吸着して搬送するための装置である。吸着部６には、真空引き配管６ａが接続されており、吸着部６の下端部には負圧が作用するようになっている。また、吸着部６は、例えば搬送装置（図示せず）に固定されるアーム６ｂを有しており、このアーム６ｂが搬送装置に固定された状態で搬送装置によって積層容器１００を任意の場所に搬送することができるようになっている。搬送装置は、例えばロボット等であってもよい。
【００７６】
（制御盤７の構成）
制御盤７は、シート送り部２、シート加熱部３、成形部４、搬出部５及び吸着部６を制御する制御装置であり、例えば、従来から周知のマイクロコンピュータやシーケンサ等で構成することができる。制御盤７には、シート送り部２、シート加熱部３、成形部４、搬出部５及び吸着部６の動作タイミングや動作速度、動作順等をプログラムとして記憶させることができるようになっている。制御盤７は、記憶されているプログラムに従い、シート送り部２、シート加熱部３、成形部４、搬出部５及び吸着部６を後述するように動作させる。
【００７７】
（製造方法）
次に、上記のように構成された製造装置１を使用して積層容器１００を製造する方法について説明する。以下に説明する方法は、制御盤７に記憶されているプログラムによって実現することができるが、作業者がそれぞれ行うようにしてもよい。
【００７８】
まず、樹脂製シートＳをシート送り部２にセットする。これは作業者が行う。そして、作業者が制御盤７を操作すると、シート送り部２が樹脂製シートＳを所定位置まで送る。また、シート加熱部３の下側ヒータ３ｃをＯＮにして通電を開始して予熱が完了した後、下側ヒータ３ｃを上昇端位置にする。これにより、下側ヒータ３ｃが樹脂製シートＳに接近して、樹脂製シートＳを成形に適した所定温度となるまで加熱する。樹脂製シートＳは、下側ヒータ３ｃにより加熱されることで軟化して弛む。これがシート加熱工程である。
【００７９】
また、成形部４は、図６に示すように型駆動装置４２によって型が開いた状態としておく。このとき、上金型駆動装置４４によって上金型４０を上方へ移動させるとともに、下金型駆動装置４５によって下金型４１を下方へ移動させて、樹脂製シートＳの上面及び下面に上金型４０及び下金型４１が当たらないようにする。これにより、樹脂製シートＳを送る際に樹脂製シートＳと上金型４０及び下金型４１とが干渉しないようにすることができる。これが退避工程である。
【００８０】
また、図８に示すように、供給装置６０が紙製容器１０１を樹脂製シートＳの上に供給する。樹脂製シートＳが送られることで、図６に示すように、紙製容器１０１が上金型４０の真下まで搬送される。型内吸着部４９を下降位置にして紙製容器１０１を吸着した後、型内吸着部４９を上昇位置にし、上昇位置にある上金型４０の保持用凹部４０ａに、紙製容器１０１を下に開放する姿勢で保持させる。紙製容器１０１は、作業者が手作業で保持用凹部４０ａに挿入して保持させてもよい。これが保持工程である。
【００８１】
シート加熱工程と保持工程とは並行してもよいし、一方を先に行ってもよい。下側ヒータ３ｃは、保持用凹部４０ａに保持された紙製容器１０１から上流側へ離れているとともに下方へも離れているので、下側ヒータ３ｃの熱によって紙製容器１０１の樹脂コーティング層１０１ｄが溶融することはない。
【００８２】
シート送り部２による樹脂製シートＳの送りを停止させた後、図９に示すように、上金型駆動装置４４によって上金型４０を下方へ移動させるとともに、下金型駆動装置４５によって下金型４１を上方へ移動させて型を閉じた状態にする。これが型閉じ工程である。下側カット刃４１ｃと上側カット刃４０ｂとによって樹脂製シートＳに対してせん断力を作用させ、このせん断力によって樹脂製シートＳにおける樹脂層１０２の周縁部となる部分が完全に切断されるので、型閉じ工程と切断工程とが同時に行われる。このとき、樹脂層１０２の周縁部となる部分は、上金型４０の保持用凹部４０ａの周縁部と、下金型４１のプラグ収容凹部４１ａの周縁部とによって厚み方向に挟持しておくことができる。樹脂製シートＳを切断するタイミングは、上金型４０と下金型４１とが開くまでであればよく、樹脂層１０２の成形が完了するまでは切断せずに、樹脂層１０２の成形が完了した後に、上金型４０を下に移動させるか、下金型４１を上に移動させることによって樹脂製シートＳに対してせん断力を作用させて切断するようにしてもよい。
【００８３】
その後、図１０に示すように、プラグ駆動装置４３によりプラグ４１ｂを上昇させて下金型４１の上面から突出した成形位置とする。これにより、プラグ４１ｂの上面によって樹脂製シートＳが上方へ伸ばされて紙製容器１０１の内面に接近する。
【００８４】
このとき、真空引き配管４ａを介して上金型４０の保持用凹部４０ａ内に負圧が作用している。図２Ａに示すように紙製容器１０１には空気通過孔１０１ｃが形成されているので、空気通過孔１０１ｃを介して紙製容器１０１内が負圧になり、軟化している樹脂製シートＳが紙製容器１０１の内面に密着して成形される。樹脂コーティング層１０１ｄは溶融していないので、固化した状態の樹脂コーティング層１０１ｄに軟化した樹脂製シートＳが密着することになる。このとき、圧縮空気導入装置４ｄによって下金型４１内に圧縮空気が導入されるので、樹脂製シートＳが圧縮空気によって紙製容器１０１の内面に押し付けられる。つまり、樹脂製シートＳを真空及び圧空成形することで、紙製容器１０１の内面に強い力で密着させて紙製容器１０１の内側に樹脂層１０２が形成される。樹脂製シートＳの成形時における紙製容器１０１への密着力が強い分、通常の使用時には樹脂層１０２が紙製容器１０１、即ち樹脂コーティング層１０１ｄから外れ難くなる。一方、樹脂層１０２と紙製容器１０１の樹脂コーティング層１０１ｄとは異なる樹脂であるため、互いの接着強度はそれほど高くなく、積層容器１００の廃棄時には容易に分別することが可能になる。これが成形工程である。以上のようにして積層容器１００の製造が完了する。以後の工程は必要に応じて行えばよく、省略してもよい。
【００８５】
次いで、図１２に示すように、上金型駆動装置４４によって上金型４０を上方へ移動させるとともに、下金型駆動装置４５によって下金型４１を下方へ移動させて型を開いた状態にする。この間に積層容器１００が次第に冷却されていき、樹脂層１０２が硬化する。型を開くとき、図示しないが、従来から周知のように上金型４０に設けた脱型ピン等により、積層容器１００を下方へ押して上金型４０から離型することができる。上金型４０から離型した積層容器１００は、積層容器１００の自重により、積層容器１００の下端部（積層容器１００の使用時には上端部となる）が下金型４１の上面に載置された状態になり、下金型４１によって積層容器１００が下方から支持されて積層容器１００の落下を抑制することができる。下金型４１は、上述したように、下金型４１の上面が樹脂製シートＳよりも下に位置するように、下金型駆動装置４５によって下降しているので、積層容器１００の下端部は樹脂製シートＳの下面よりも下に位置することになる。
【００８６】
また、図１２に示すように、樹脂製シートＳには、積層容器１００から切断された跡に穴Ｓ１が形成されることになる。積層容器１００の下端部が樹脂製シートＳの下面よりも下に位置しているので、穴Ｓ１の高さは、積層容器１００の下端部よりも上、即ち積層容器１００の周壁部（側面部）に対応する高さとなる。従って、その後、シート送り部２により樹脂製シートＳを送ると、積層容器１００の周壁部が樹脂製シートＳの穴Ｓ１の周縁部に引っ掛かった状態になって係合するので、積層容器１００が樹脂製シートＳと一緒に下流側へ送られることになる。これにより、積層容器１００を取り出す専用の部材や装置を設けることなく、樹脂製シートＳを利用して当該容器１００を上金型４０と下金型４１との間から容易に取り出すことが可能になる。以上のように、型が開いた時の下金型４１の高さを設定しているので、積層容器１００の周壁部と樹脂製シートＳの穴Ｓ１の周縁部とを確実に係合させることができる。
【００８７】
シート送り部２の動作によって上金型４０と下金型４１との間から取り出された積層容器１００は、図１３に示すように容器載置部材５１の上面に載置される。このとき、容器載置部材５１は下位置とされており、積層容器１００の上端部（積層容器１００の使用時には下端部となる）と、吸着部６の下端部とは所定距離離れている。この所定距離は、積層容器１００の重量や吸着部６が発揮する吸着力等によって設定することができる距離であり、積層容器１００が吸着部６に吸着されない距離以上離しておくのが好ましい。具体的には、積層容器１００の重量が重ければ、軽い場合に比べて短くすることができ、また、吸着部６が発揮する吸着力が大きければ、小さい場合に比べて長くすることができる。
【００８８】
容器載置部材５１の上面に積層容器１００を載置した後、図１４に示すように、載置部材駆動装置５２は、容器載置部材５１を上位置に切り替える。これにより、積層容器１００の上端部と、吸着部６の下端部との距離が所定距離未満になるので、積層容器１００が吸着部６に吸着される。上位置にしたときの積層容器１００の上端部と吸着部６の下端部との距離は、積層容器１００の上端部が確実に吸着されるように設定する。
【００８９】
その後、図１５に示すように、載置部材駆動装置５２は、吸着部６を動かすことなく、容器載置部材５１を下位置に切り替える。積層容器１００の上端部が吸着部６に吸着されているので積層容器１００は容器載置部材５１の上面から離れた状態になる。そして、搬送装置によって積層容器１００を任意の場所に搬送して集積する。積層容器１００は下に開口した状態で成形されるので、上下反転させることなく、そのままの状態で積み重ねてストックすることができる。
【００９０】
（実施形態の作用効果）
以上説明したように、この実施形態に係る製造装置１によれば、加熱して軟化させた樹脂製シートＳを真空及び圧空成形することで、紙製容器１０１の内面に強い力で密着させて紙製容器１０１の内側に樹脂層１０２を一体成形することができる。樹脂製シートＳの成形時における紙製容器１０１への密着力が強い分、使用時に樹脂層１０２が紙製容器１０１から外れ難くなる。一方、樹脂層１０２と紙製容器１０１の樹脂コーティング層１０１ｄとは異なる樹脂であるため、接着強度はそれほど高くなく、廃棄時には容易に分別することが可能になる。したがって、使用時に紙製容器１０１と樹脂層１０２との分離が不意に起こらないようにしながら、廃棄時には紙製容器１０１と樹脂層１０２との分別廃棄を容易に行うことができる。
【００９１】
尚、上記実施形態では、紙製容器１０１の内側に樹脂コーティング層１０１ｄが設けられているが、この樹脂コーティング層１０１ｄを省略して樹脂層１０２を、紙製容器１０１の紙に固着させてもよい。この場合も樹脂層１０２を紙とは材質が異なっているので、分別廃棄が容易になる。一方、樹脂層１０２を真空及び圧空成形して紙に密着させることができるので、通常の使用時に樹脂層１０２が紙から剥離するのを抑制できる。
【００９２】
上述の実施形態はあらゆる点で単なる例示に過ぎず、限定的に解釈してはならない。さらに、特許請求の範囲の均等範囲に属する変形や変更は、全て本発明の範囲内のものである。
【００９３】
上記実施形態では、上側カット刃４０ｂと下側カット刃４１ｃとによって樹脂製シートＳにおける樹脂層１０２の周縁部となる部分を切断しているが、これに限らず、上側カット刃４０ｂ及び下側カット刃４１ｃを省略し、本製造装置１での製造工程を終えた後に、別途、トリミングマシン等を利用して樹脂製シートＳから切り離してもよい。
【産業上の利用可能性】
【００９４】
以上説明したように、本発明は、例えば紙製容器の内面に樹脂層が形成されて一体化された積層容器を製造する場合に利用できる。
【符号の説明】
【００９５】
１              製造装置
２              シート送り部
３              シート加熱部
６              吸着部
４０            上金型（上型）
４０ａ          保持用凹部
４０ｂ          上側カット刃
４１            下金型（下型）
４１ａ          プラグ収容凹部
４１ｂ          プラグ
４１ｃ          下側カット刃
４２            型駆動装置
４４            上金型駆動装置
４５            下金型駆動装置
５１            容器載置部材
５２            載置部材駆動装置
１００          積層容器
１０１          紙製容器
１０１ｃ        空気通過孔
１０１ｄ        樹脂コーティング層
１０２          樹脂層
Ｓ              樹脂製シート
【図１】
2022001418.tif 000003
【図２Ａ】
2022001418.tif 000004
【図２Ｂ】
2022001418.tif 000005
【図３】
2022001418.tif 000006
【図４】
2022001418.tif 000007
【図５】
2022001418.tif 000008
【図６】
2022001418.tif 000009
【図７】
2022001418.tif 000010
【図８】
2022001418.tif 000011
【図９】
2022001418.tif 000012
【図１０】
2022001418.tif 000013
【図１１】
2022001418.tif 000014
【図１２】
2022001418.tif 000015
【図１３】
2022001418.tif 000016
【図１４】
2022001418.tif 000017
【図１５】
2022001418.tif 000018